【事件の表示】
　特願２０１２−５２１８５１「アップリンクの肯定応答における干渉の抑制」拒絶査定不服審判事件〔平成２３年　１月２７日国際公開，ＷＯ２０１１／０１１７３５，平成２５年　１月　７日国内公表，特表２０１３−５００６３６〕について，次のとおり審決する。
【結　論】
　本件審判の請求は，成り立たない。
【理　由】
第１　手続の経緯
　本願は，２０１０年７月２３日（パリ条約による優先権主張外国庁受理　２００９年７月２３日　米国，２０１０年７月２１日　米国）を国際出願日とする出願であって，平成２６年２月１０日付けで拒絶査定がなされ，これに対し，同年６月１８日に拒絶査定に対する審判請求がなされるとともに同日付けで手続補正がなされたものである。
第２　補正却下の決定
［結論］
　平成２６年６月１８日付けの手続補正を却下する。
［理由］
１　本願発明と補正後の発明
　平成２６年６月１８日付けの手続補正（以下，「本件補正」という。）は，平成２５年９月３０日付け手続補正書により補正された特許請求の範囲の請求項１に記載された
「【請求項１】
　基本シーケンスと１つまたは複数のセル特有のシーケンスとをネットワークから受信することと，ここにおいて，前記セル特有のシーケンスの少なくとも１つは離散フーリエ変換行列の列を含み，
　少なくとも１つのシフト値をユーザー装置に割り当てることと，
　情報を前記ユーザー装置に送ることであって，前記情報が，前記基本シーケンスと，前記セル特有のシーケンスのうちの１つと前記シフト値とを備える，送ることと，および
　前記ユーザー装置から信号を受信することであって，前記信号が，前記受信された情報に少なくとも基づいて生成される，受信することと
を備える，ワイヤレス通信のための方法。」
という発明（以下，「本願発明」という。）を，
「【請求項１】
　基本シーケンスと１つまたは複数のセル特有のシーケンスとをネットワークから受信することと，ここにおいて，前記セル特有のシーケンスの少なくとも１つは離散フーリエ変換行列の列を含み，および，前記離散フーリエ変換行列の各列は複数のセルの異なる１つに割り当てられており，
　少なくとも１つのシフト値をユーザー装置に割り当てることと，
　情報を前記ユーザー装置に送ることであって，前記情報が，前記基本シーケンスと，前記セル特有のシーケンスのうちの１つと前記シフト値とを備える，送ることと，および
　前記ユーザー装置から信号を受信することであって，前記信号が，前記受信された情報に少なくとも基づいて生成される，受信することと
を備える，ワイヤレス通信のための方法。」
という発明（以下，「補正後の発明」という。）に変更することを含むものである。
２　補正の適否
（１）新規事項の有無，シフト補正の有無，補正の目的要件
　上記補正は，願書に最初に添付した明細書，特許請求の範囲又は図面に記載した事項の範囲内において，本願発明の「離散フーリエ変換行列の列」に関して「前記離散フーリエ変換行列の各列は複数のセルの異なる１つに割り当てられており」との限定を付して，特許請求の範囲を減縮するものである。請求項１３，１６，２８，３０〜３５における同様の補正についても，同様である。
　また，請求項１３，２８，３１，３３，３５において，「前記シフト値」を「前記１つまたは複数のシフト値」とする補正は，本件補正前のこれらの請求項において前記された「シフト値」は「１つまたは複数のシフト値」であるから，実質的に技術事項を何ら変更するものでない。
　したがって，本件補正は，特許法第１７条の２第３項及び第４項の規定に適合することは明らかであり，また，同法第１７条の２第５項第２号に掲げる特許請求の範囲の減縮を目的とするものに該当する。
（２）独立特許要件
　上記補正は，特許請求の範囲の減縮を目的とするものであるから，補正後の発明が特許出願の際独立して特許を受けることができるものであるのか否かについて，以下検討する。
ア　補正後の発明
　上記「１　本願発明と補正後の発明」の項の「補正後の発明」のとおりのものと認める。
イ　引用発明及び周知技術等
［引用発明］
　原査定の拒絶の理由に引用されたSamsung, Nokia, Nokia Siemens Networks, Panasonic, TI，Joint proposal on uplink ACK/NACK channelization（［当審仮訳］：アップリンクＡＣＫ／ＮＡＣＫチャンネライゼーションに関する共同提案）[online]，3GPP TSG-RAN WG1#51b R1-080035，インターネット＜URL:http://www.3gpp.org/ftp/tsg_ran/WG1_RL1/TSGR1_51b/Docs/R1-080035.zip＞，２００８年１月８日（以下，「引用例」という。）には，図面とともに以下の事項が記載されている。
（ア）「
」（１／６ページ７〜１８行）
（［当審仮訳］：
１．はじめに
　[1] のアップリンクＡＣＫ／ＮＡＣＫチャネライゼーション提案は，上海会合で合意した。当該提案は，通常ＣＰにて１８個のＡＣＫ／ＮＡＣＫチャネルが１ＲＢ内にサポートされるための，コンピュータで生成したＣＡＺＡＣシーケンスの巡回シフト及びブロック拡散のための直交カバーである，ＡＣＫ／ＮＡＣＫチャネルリソースを割り当てるための構造を提示した。この寄稿では，ＥＵＴＲＡでサポートされるべきであるＡＣＫ／ＮＡＣＫチャネルの以下の数のための設計を含むよう，[1] の構造を拡張する：
　−　通常ＣＰ：ＲＢ当たり１２，１８，３６（今後の検討）個のＡＣＫ／ＮＡＣＫチャネル
　−　拡張ＣＰ：ＲＢ当たり８，１２個のＡＣＫ／ＮＡＣＫチャンネル
　定義された巡回シフトと直交カバーリソースは，適切なホッピングパターンに従ってＡＣＫ／ＮＡＣＫチャネルにマッピングされ，これによりマッピングがシンボル当たり又はスロットごとに変化する。ＡＣＫ／ＮＡＣＫリソースのホッピングはこの寄稿の範囲ではないが，ホッピングパターンも定義されるべきである。）
（イ）「
」（１／６ページ１９行〜２／６ページ末行）
（［当審仮訳］：
　他の関連する決定の欠如のために未だ仕様に反映されていない前回の上海会合での決定は，表１に示すように，４組のウォルシュコードのトリプレットの定義である。
（表１は省略）
　表１での区分けの合意の理論的根拠は，ＲＢ当たり１８個のＡＣＫ／ＮＡＣＫチャネルの場合について，表１に定義された直交カバーシーケンスの組と組み合わせた表３のチャネライゼーション構造は，他の設計よりも性能が優れていることである[2] [3] [4]。所与のスロットで使用される直交カバーシーケンスの組は，セル固有とすることができ，シーケンスホッピングパターンに従ってスロットごとに変えることができる。
　ＣＰの長さと，同じ直交カバーシーケンスの隣接ＡＣＫ／ＮＡＣＫチャネル間を分離する最小巡回シフト間隔とに依存して変化する，ＡＣＫ／ＮＡＣＫチャネライゼーション構造は，上海会合で合意された構造をカバーする下記の数式で表すことができる。
　ＡＣＫ／ＮＡＣＫチャンネルを割り当てるためのｋ番目のＡＣＫ／ＮＡＣＫリソースは OCindex（k）と CSindex（k）とによって識別され，ここで，OCindex（k）はＡＣＫ／ＮＡＣＫチャネルのＲＳシンボル及びＡＣＫ／ＮＡＣＫシンボルに適用される直交カバーシーケンスのインデックスであり，CSindex（k）は，ＡＣＫ／ＮＡＣＫチャネルに使用されるコンピュータが生成したＣＡＺＡＣシーケンスの巡回シフト値である。したがって，ＲＢ内のＡＣＫ／ＮＡＣＫチャネルリソースは，以下のように公式化できる。
（式は省略）
　上記の式において，Δshift及びδoffsetはセル固有の値である。δoffsetは，セル間干渉を低減するために，隣接セルがＡＣＫ／ＮＡＣＫチャネルのための重複しないリソースを使用することを可能にするための巡回シフト・オフセットである。Δshiftは，同じ直交カバーシーケンスを使用する２つの隣接するＡＣＫ／ＮＡＣＫリソース間の巡回シフト差分であり，所与のセル配置におけるマルチパス遅延拡散を考慮して決定することができる。例えば，ＵＥにより経験されるチャネルが非常に周波数選択的な配置においては，Δshift＝３が選択され得る。また，ＲＢ内でサポート可能なＡＣＫ／ＮＡＣＫリソースの数，すなわち，ｋの範囲は，Δshiftの値とＣＰの長さによって決定されることにも留意されたい。通常ＣＰでのΔshift＝１の場合は，多重化容量とパフォーマンスとのトレードオフを考慮して，今後の検討事項である。
　ＰＵＣＣＨフォーマット０及び１においてＲＳシンボルに適用される直交シーケンスは，表２に示すように，ＴＳ３６．２１１に定義されている。
（表２は省略）
　以下の第３章では，表３〜７に，所与のＣＰ設定とΔshift及びδoffsetの値について，上記の式で生成されたＡＣＫ／ＮＡＣＫチャネルの構成を示す。提案されたＡＣＫ／ＮＡＣＫチャネライゼーションは，上式により，又は表３〜７により記述することができ，同じ構成になる。　）
（ウ）「
」（３／６ページ１〜９行）
（［当審仮訳］：
３．ＡＣＫ／ＮＡＣＫチャネライゼーション構造の図
３．１．通常ＣＰ，ＲＢ当たり１８個のＡＣＫ／ＮＡＣＫリソース（Δshift＝２）
　−　使用方法
　　　・この構成は，多くの都市のセル配置シナリオに適用できる
　−　チャネライゼーション
　　　（式は省略）
（表３は省略）　）
　上記（ア）〜（ウ）の記載及び図面並びに当業者の技術常識を考慮すると，
ａ　上記（ア）の記載によれば，アップリンクＡＣＫ／ＮＡＣＫの伝送に際し，通常ＣＰの場合に１ＲＢ内に１８個のＡＣＫ／ＮＡＣＫチャネルがサポートされるようにするため，コンピュータで生成したＣＡＺＡＣシーケンス及びその巡回シフト値，ブロック拡散のための直交カバーシーケンスが，ＡＣＫ／ＮＡＣＫチャネルリソースとして用いられており，そのためにユーザ装置がこれらを得ていることは明らかである。
ｂ　上記（イ），（ウ）の記載によれば，直交カバーシーケンスとして，ＰＵＣＣＨのＲＳシンボルに対して表２の直交シーケンス（通常ＣＰでは，［＋１　＋１　＋１］，［＋１　ｅｊ２π／３　ｅｊ４π／３］，［＋１　ｅｊ４π／３　ｅｊ２π／３］）が適用され，ＡＣＫ／ＮＡＣＫに対して表１の４組のウォルシュコードのトリプレットが適用されるから，コンピュータで生成したＣＡＺＡＣシーケンスと複数の直交カバーシーケンスを得ていることは明らかである。そして，上記（イ）の「所与のスロットで使用される直交カバーシーケンスの組は，セル固有とすることができ，」との記載によれば，少なくとも表１の直交カバーシーケンスの組は，セル固有であるといえる。
ｃ　上記（ア）の記載によれば，アップリンクＡＣＫ／ＮＡＣＫの伝送に際し，通常ＣＰの場合に１ＲＢ内に１８個のＡＣＫ／ＮＡＣＫチャネルがサポートされるのであるから，基地局はユーザー装置からＡＣＫ／ＮＡＣＫを含む信号を受信しており，当該信号はコンピュータで生成したＣＡＺＡＣシーケンス及びその巡回シフト値，ブロック拡散のための直交カバーシーケンスに基づいて生成されていることは明らかである。
ｄ　引用例はＬＴＥに関する提案であり，アップリンクＡＣＫ／ＮＡＣＫの伝送に際し，通常ＣＰの場合に１ＲＢ内に１８個のＡＣＫ／ＮＡＣＫチャネルがサポートされるようにするため方法であるから，ワイヤレス通信のための方法といえる。
　以上を総合すると，引用例には以下の発明（以下，「引用発明」という。）が記載されていると認める。
「ユーザ装置が，コンピュータで生成したＣＡＺＡＣシーケンスと，少なくとも１つがセル特有である複数の直交カバーシーケンスと，巡回シフト値を得ることと，および
　ユーザー装置からＡＣＫ／ＮＡＣＫを含む信号を受信することであって，前記信号が，前記コンピュータで生成したＣＡＺＡＣシーケンスと，少なくとも１つがセル特有であるセル特有の直交カバーシーケンスと，巡回シフト値に少なくとも基づいて生成される，受信することと
を備える，ワイヤレス通信のための方法。」
［周知技術等］
　同じく原査定の拒絶の理由に引用されたPanasonic, Nokia, Nokia Siemens Networks, Samsung, Texas Instruments，Proposed way forward on ACK/NACK channelization（［当審仮訳］：ＡＣＫ／ＮＡＣＫチャンネライゼーションにおいて進める提案された手法），[online]，3GPP TSG-RAN WG1#50b R1-074491，インターネット＜URL:http://www.3gpp.org/ftp/tsg_ran/WG1_RL1/TSGR1_50b/Docs/R1-074491.zip＞，２００７年１０月８日（以下，「周知例１」という。）には，図面とともに以下の事項が記載されている。
（エ）「
」（１／２ページ７〜１８行）
（［当審仮訳］：
１．背景
　アテネ会合では，ＲＡＮ１は以下の手法を進めることに合意した。
●ＲＳ及び情報の「カバー」シーケンスのペアリング：
　ブロックに関する拡散コードが異なる場合の，異なる巡回シフト値を備えるアップリンクＡＣＫ／ＮＡＣＫの符号割当
●以下のブロックに関する拡散コードが使用される
　　
・ＲＳ部に対して，（１，１，１），（１，ｅ
j2pi/3
 ，ｅ
j4pi/3
 ），（１，ｅ
j4pi/3
 ，ｅ
j8pi/3
 ）
　　・ＡＣＫ／ＮＡＣＫ部に対して，４個の長さ４のアダマールシーケンス（１，１，１，１），（１，１，−１，−１），（１，−１，−１，１），（１，−１，１，−１）のうちのＮ個（以下の表にＴＢＤとしてマーク）
　この寄稿の中で提案を捕捉することによって，前記合意を更に補完することを提案する。この寄稿では，アップリンクＡＣＫ／ＮＡＣＫのための巡回シフト及び直交カバーの割当は，１ＲＢに１８個のＡＣＫ／ＮＡＣＫチャンネルとした場合について提案されている。）
（オ）「
」（１／２ページ１９行〜２／２ページ２行）
（［当審仮訳］：
２．アップリンクＡＣＫ／ＮＡＣＫチャンネライゼーション
　１８個のＡＣＫ／ＮＡＣＫチャネライゼーションの場合について，[1] [2] [3]におけるパフォーマンス分析に基づいて，リソース定義の例として表１を提案する。このマッピングは，ＴＵチャネルまでの遅延拡散のために使用できる。より大きな遅延拡散のためのマッピングについては今後の検討である。
（表１は省略）
留意点
●１８個のＡＣＫ／ＮＡＣＫチャネルが定義される場合，異なるセルにおいて異なる巡回シフト構成を可能とするため，２組の巡回シフトのインデクスが定義されている。
●
ｆ１〜ｆ３は３ＤＦＴシーケンスからピックアップされる。
●各ＡＣＫ／ＮＡＣＫチャネルと巡回シフト及び直交カバーの組み合わせとの間マッピングは，巡回シフトと直交パターンのホッピングパターンに従ってスロット毎に変更される。ホッピングパターンは今後の検討である。
●Ｓｉは表２のＯＣのコードの組の１つである（[3]に基づく）。
●（ＰＤＣＣＨをアップリンクＡＣＫ／ＮＡＣＫにマッピングする検討の結果に応じて）（例えば[4] 参照。），必要であれば，表１の構造は１８個以上のリソースを割り当てることを排除していない。
（表２は省略）
●ＣＣＥインデクスのＡＣＫ／ＮＡＣＫチャネルへの正確な「暗黙的なマッピング」は今後の検討である。　）
（カ）「
」（２／２ページ３〜２２行）
３．アップリンクＡＣＫ／ＮＡＣＫチャネライゼーションの代替表現
　第２章では，１８個のＡＣＫ／ＮＡＣＫチャネルが１つの周波数分割多重化されたＰＵＣＣＨに多重化されている場合のアップリンクＡＣＫ／ＮＡＣＫチャンネライゼーションの明示的な例を示す。しかし，明示的な一例を示すだけでは，スタガ構造の広い概念を捕捉するために十分ではない。そこで，上記の概念を捕捉するため，以下の公式を定義する。公式は，巡回シフト及び直交カバーの特定のホッピングパターンについての合意に従って確定される。
　スタガ構造の概念を捕捉するための公式
　ｋ番目のＡＣＫ／ＮＡＣＫリソースは OCindex（k）と CSindex（k）とにより識別される。ここで，OCindex（k），CSindex（k）は，それぞれ，ＲＳ部分及び情報部分の双方のための直交カバーシーケンスのインデックス，ｋ番目のＡＣＫ／ＮＡＣＫリソースに対する巡回シフト値のインデクスである。
（式は省略）
　ここで，「shiftdiff 」は，同じＯＣ内の２つの隣接するＡＣＫ／ＮＡＣＫリソース間の巡回シフト差分であり，「ｎ」は第１のＡＣＫ／ＮＡＣＫリソースの巡回シフト・オフセットである。
　「shiftdiff 」及び「ｎ」の双方はセル特有の値であり，「shiftdiff 」の許容値は今後の検討である。
　例えばＰＤＣＣＨをアップリンクＡＣＫ／ＮＡＣＫにマッピングする検討の結果に応じて，残りのリソースのいくつかを割り当てることを可能とするために，公式は後で拡張できる。　）
　同じく原査定の拒絶の理由に引用された国際公開第２００９／０２０３７６号（以下，「周知例２」という。）には，「METHOD AND APPARATUS FOR FORMING SIGNALS IN WIRELESS COMMUNICATION SYSTEMS」（［当審仮訳］：無線通信システムにおける信号形成方法及び装置）（［当審注］：周知例２についての［当審仮訳］は，周知例２のパテントファミリーである特表２０１０−５３６２２９号公報の記載に基づく。）に関し，図面とともに以下の事項が記載されている。
（キ）「TECHNICAL FIELD
　　The present invention relates to a method of effectively reducing interference between terminals when transmitting a control signal of data received from a terminal base station in a wireless communication system.
　　When a plurality of users (terminals) simultaneously use an acknowledgement/ negative acknowledgement (ACK/NAK) channel in a wireless communication system, a code division multiplexing (CDM) technique may be used in the plurality of terminals. In CDM, each of the plurality of terminals transmits a result obtained by multiplying a signal to be transmitted by a spreading code allocated to each of the plurality of terminals.
（中略）
BACKGROUND ART
　　In a wireless communication system, a receiver transmits acknowledgement (ACK) and negative acknowledgement (NAK) signals to a transmitter when received data is successfully and unsuccessfully demodulated, respectively. An ACK/NAK signal i  requires one bit per codeword.
（中略）
　　FIG. 1 illustrates time/frequency resources used by a terminal to perform uplink ACK/NAK signaling in a 3rd generation partnership projection long term evolution (3GPP LTE) system. 
　　Referring to FIG. 1 , resources used by one control channel are grouped into two separate resource blocks. Each of the two resource blocks includes N subcarriers along a frequency domain, and 7 orthogonal frequency division multiplexing (OFDM) symbols, which correspond to one slot, in a time domain. One slot has a time duration of 0.5 ms.
　　In FIG. 1 , a plurality of terminals may commonly use one control channel. That is, a control channel A or a control channel B may be shared by the plurality of terminals. In this case, in order to identify the plurality of terminals using the same control channel, a specific code sequence is allocated to each of the plurality of terminals. That is, each of the plurality of terminals generates and transmits a signal spread along a frequency domain and a time domain by using its allocated specific code. 
　　FIG. 2 illustrates a code sequence and a symbol transmitted to each of N subcarriers in an ACK/NAK channel occupying a resource block that includes the N subcarriers in a frequency domain and 7 OFDM symbols in a time domain. In FIG. 2, the resource block corresponding to one slot described with reference to FIG. 1 occupies N  subcarriers in the frequency domain and includes 7 symbol blocks BL #0 through #6 in the time domain.
　　When CDM is used to identify signals of a plurality of terminals, a sequence and a symbol may be mapped to each time/frequency resource as illustrated in FIG. 2. In order to identify the signals of the plurality of terminals, a sequence is applied to each of the frequency domain and the time domain. In FIG. 2, a reference signal is used for channel estimation, and a pre-determined signal between a terminal and a base station is transmitted.
　　The base station estimates a channel by using the reference signal, and uses a result of the channel estimation so as to demodulate an ACK/NAK symbol transmitted by a control signal. Each time/frequency resource carries a signal multiplied by two or three symbols.
　　That is, a time/frequency resource on which the reference signal is carried, is obtained by multiplying a frequency domain sequence symbol Cmq(k) by a time domain sequence symbol Ri (i = 0, 1 , 2). A time/frequency resource on which the control signal is carried, is obtained by multiplying a frequency domain sequence symbol Cmq(k) , a time domain sequence symbol Ci (i = 0, 1 , 2, 3), and an ACK/NAK symbol Q.
　　In FIG. 2, the frequency domain sequence symbol Cmq(k) indicates a Zadoff-Chu sequence where Nzc is the length of the Zadoff-Chu sequence applied to a k th  subcarrier in a frequency domain, m is a primary index, and q is a cyclic delay index, and is given by Equation 1.
　　One sequence is applied to each of the reference signal and the control signal in a time domain. That is, a sequence applied to the control signal in FIG. 2 is expressed as C0, C1, C2, and C3. A sequence applied to the reference signal is expressed as R0, R1, and R2 . 
　　Currently, 3GPP LTE considers a configuration in which three reference signals per slot are used for an uplink ACK/NAK channel.
　　Also, in order to identify a plurality of terminals, a Zadoff-Chu sequence is used along a frequency domain, and a discrete Fourier transformation (DFT) vector, a Walsh-Hadamard sequence, or a Zadoff-Chu sequence may be used in a time domain.
（中略）
TECHNICAL PROBLEM
　　When a plurality of terminals share the same resources in a wireless communication system, and when control information such as acknowledgement/ negative acknowledgement (ACK/NAK) information or scheduling information is transmitted, a method of efficiently performing code division multiplexing (CDM) is required to identify the plurality of terminals.
　　In order to transmit and receive the control information such as the ACK/NAK information or the scheduling information, a plurality of users (terminals) use the same ACK/NAK resources. At this time, terminals in the same cell and terminals between different cells interfere with each other. An efficient code hopping method is required to reduce such interference.  」（１ページ６〜１５行，１ページ３０行〜２ページ１行，２ページ１７行〜４ページ５行，５ページ２４〜３３行）
（［当審仮訳］：
技術分野
　本発明は，無線通信システムにおいて，端末器基地局から受信したデータに対する制御信号を伝送する際に，端末間の干渉を効率的に減少させるための方法に関する。
　無線通信システムにおいて，多数の使用者（端末）がＡＣＫ／ＮＡＫチャンネルを同時に利用する時には，ＣＤＭ（Code Division Multiplexing）方式を使用することができる。この場合，各々の端末は，他の端末と区別されるように，伝送しようとする信号に自分自身に割り当てられた拡散コード（spreading code）を掛けて伝送する。
（中略）
背景技術
　無線通信システムにおいて，受信側は，受信したデータの復調に成功した場合にはＡＣＫ信号を，復調に失敗した場合にはＮＡＫ信号を送信側に伝送する。ＡＣＫ／ＮＡＫ信号は，符号語（codeword）１個当り１個のｂｉｔで表現する。
（中略）
　図１は，３ＧＰＰ  ＬＴＥシステムで考慮している上りリンクＡＣＫ／ＮＡＫシグナリングのために端末が使用する時間／周波数資源の例を示した図面である。
　図１のように，１個の制御チャンネルに使用される資源は，互いに離れた２個の資源ブロックから構成されている。２個の資源ブロックは，各々周波数軸上で１２個の副周波数（sub-carrier）を占め，時間軸上でスロットに相当する７個のＯＦＤＭシンボルを占める。１個のスロットは，０.５ｍｓの時間的長さを有する。
　図１において，複数個の端末が１個の制御チャンネルを共通で使用することができる。つまり，制御チャンネルＡあるいはＢを多数の端末が互いに同時に使用することができる。この時，同一な制御チャンネルを使用する複数個の互いに異なる端末を区別するために，各端末は，特定のコードシークエンスが予め割り当てられる。つまり，各端末は，割り当てられた特定のコードシークエンスを使用して，周波数軸及び時間軸に拡散させた信号を形成して伝送する。
　図２は，周波数軸にＮ個の副周波数を占め，時間軸に７個のＯＦＤＭシンボルを占めているＡＣＫ／ＮＡＫチャンネルで各副周波数に伝送されるコードシークエンス及びシンボルを示した図面である。図２の資源ブロックは，図１で説明した１個のスロットに相当し，周波数軸上にＮ個の副周波数を占めて，時間軸上に１個のシンボルを有する７個のシンボルブロック（ＢＬ＃０〜＃６）から構成されている。
　複数個の端末の信号を区別するためにＣＤＭを使用する時，図２のように各時間／周波数資源にシークエンス及びシンボルがマッピングされる。複数個の端末の信号を互いに区別するために，周波数軸及び時間軸に各々シークエンスを適用した。図２で，レファレンスシグナルは，チャンネル推定のために必要であり，端末及び基地局が予め決めておいたシグナルが送信される。
　基地局は，レファレンスシグナルを使用してチャンネルを推定し，チャンネル推定の結果をコントロールシグナルが伝送するＡＣＫ／ＮＡＫシンボルの復調のために使用する。各時間／周波数資源は，２個のシンボルあるいは３個のシンボルを掛けて得られる１個のシンボルを伝送する。
　つまり，レファレンスシグナルが載せられる時間／周波数資源は，周波数軸シークエンスシンボルCmq(k)及び時間軸シークエンスシンボルRi (i=0,1,2)を掛けて得られる。コントロールシグナルが載せられる時間／周波数資源は，周波数軸シークエンスシンボルCmq(k)と，時間軸シークエンスシンボルCi (i=0,1,2,3)と，ＡＣＫ／ＮＡＫシンボルをＱを掛けて得られる。
　図２で，Cmq(k)は，周波数軸のｋ番目の副周波数に適用される長さがＮZC，基本インデックスがｍ，サイクリック遅延インデックスがｑであるZadoff-Chuシークエンスを示しており，下記の式１のように示される。
（式は省略）
　時間軸上にはレファレンスシグナル及びコントロールシグナルの各々に１個ずつのシークエンスが適用される。つまり，図２でコントロールシグナルに適用されたシークエンスは，C0, C1, C2, C3で示される。レファレンスシグナルに適用されたシークエンスは，R0, R1, R2で示される。
　現在，３ＧＰＰ  ＬＴＥ（Long Term Evolution）では，上りリンクＡＣＫ／ＮＡＫチャンネルに対して１個のスロット当り３個のレファレンスシグナルを有する構造を考慮している。
　
また，端末の区別のために，周波数軸にはZadoff-Chuシークエンスを使用しており，時間軸にはＤＦＴ（Discrete Fourier Transformation）ベクトル，Walsh-Hadamardシークエンス，Zadoff-Chuシークエンスなどが使用される可能性がある。
（中略）
発明が解決しようとする課題
　無線通信システムにおいて多数の使用者が同一な資源を共通で使用する場合，ＡＣＫ／ＮＡＫ情報やスケジューリング情報などの制御情報を伝送する時には，使用者の区別のためにＣＤＭ（Code Division Multiplexing）を効率的に使用する方法が要求される。
　このようなＡＣＫ／ＮＡＫ情報やスケジューリング情報などの制御情報の効率的な送受信のために，同一なＡＣＫ／ＮＡＫ資源を多数の使用者（端末）が使用するようになる。この時，セル内及びセル間の端末間で干渉が発生する。このような干渉を緩和するために，効率的なコードホッピング方式が必要である。　）
（ク）「FIGS. 3 through 5 illustrate slot structures of an ACK/NAK channel, including 3 reference signals, according to embodiments of the present invention. 
　　Referring to FIGS. 3 through 5, one slot includes 3 reference signals and 4 control signals.
　　A method of allocating a sequence to a terminal via a control information channel will be described. In the present invention, the control information channel has 12 cyclic shifts (CSs) along a frequency domain, and has 3 discrete Fourier transformation (DFT) sequences for a reference signal and 4 Walsh sequences for a control signal along a time domain, as time/frequency resources.
　　Sequences used in the present invention are defined as follows.
　　Cmq(k) indicates a Zadoff-Chu sequence where a length applied to a kth subcarrier is 12, m is a primary index, q is a cyclic delay index, and is given by Equation 2.
　　Dr(k) indicates a DFT sequence where a length applied to a kth reference signal block is 3 and r is a sequence index, and is given by Equation 3.
　　Wr(k) is a Walsh sequence where a length applied to a kth signal block is 4 and r is a sequence index, and is given by Equation 1. 
（中略）
　　For the reference signal, when a cyclic shift index is indicated by q and a DFT sequence index is incited by r, a resource allocated to a terminal may be indicated by (q,r) , where q=0,1,2, through to 10 or 11 and r=0,1 or 2.
　　For the control signal, when a cyclic shift index is indicated by q and a Walsh sequence index is indicated by r, a resource allocated to a terminal may be indicated by (q,r) , where q=0,1,2, through to 10 or 11 and r=0,1,2 or 3.
（中略）
　　Second, terminals using the same DFT sequence index r are allocated so that a cyclic shift index difference between the terminals is maintained as 2 or more. This is because when two terminals use the same DFT sequence, the smaller a cyclic shift index difference between the terminals, the greater the amount of interference between each of the terminals. In particular, when the cyclic shift index difference between terminals is 1 , the terminals greatly interfere with each other. Terminals using the same DFT sequence index r are maintained so that the minimum distance between cyclic shift indices is equal to or greater than 2. 
　　Table 2 shows an embodiment of the present invention. Resources allocated to terminals in order to transmit a reference signal are expressed as a cyclic shift index and a DFT sequence index.
　　Table 2 shows the case where the number of resources is 12 x 3 = 36 and 18 resources are used from among the total resources. It can be seen that the number of terminals having the same cyclic shift index is 1 or 2. In addition, it can be seen that all distances between cyclic shift indices between terminals using the same DFT sequence are a length of 2.　」（８ページ３２行〜９ページ１９行，１０ページ２〜１２行，１０ページ２０行〜１１ページ８行）
（［当審仮訳］：
　図３乃至図５は，スロット当り３個のレファレンス信号を含むＡＣＫ／ＮＡＫチャンネルのスロット構造を示した図面である。
　図３乃至図５は，本発明で考慮するスロット構造であって，１個のスロットが３個のレファレンスシグナル（Reference signal）及び４個のコントロールシグナル（Control signal）を有している。
　
本発明では，周波数軸に１２個のサイクリックシフト（ＣＳ），時間軸には，レファレンスシグナルの場合には３個のＤＦＴシークエンス，コントロールシグナルの場合には４個のWalshシークエンスを資源として有する制御情報チャンネルでシークエンスを端末器に割り当てる方式について説明する。
　以下では，本発明で使用するシークエンスを定義する。
　Cmq(k)は，周波数軸ｋ番目の副周波数に適用される長さが１２，基本インデックスがｍ，サイクリック遅延インデックスがｑであるZadoff-Chuシークエンスを示し，下記の数式２で示される。
（式は省略）
　
Dr(k)は，時間軸ｋ番目のレファレンスシグナルブロックに適用される長さが３，シークエンスインデックスがｒであるＤＦＴシークエンスを示し，下記の数式３で示される。
（式は省略）
　Wr(k)は，時間軸ｋ番目のコントロールシグナルブロックに適用される長さが４，シークエンスインデックスがｒであるWalshシークエンスを示し，表１のように定義される。
（中略）
（表１は省略）
　
レファレンスシグナルの場合，サイクリックシフトインデックスをｑで示し，ＤＦＴシークエンスインデックスをｒで示すと，端末が割り当てられる資源は(q,r)で示すことができる。ここで，ｑ＝０，１，２，…，１１，ｒ＝０，１，２である。
　コントロールシグナルの場合，サイクリックシフトインデックスをｑで示し，Walshシークエンスインデックスをｒで示すと，端末が割り当てられる資源は(q,r)で示すことができる。ここでｑ＝０，１，２，…，１１，ｒ＝０，１，２，３である。
（中略）
　第二に，同一なＤＦＴシークエンスインデックスｒを使用する端末は，サイクリックシフトインデックスの差が２以上を互いに維持するように割り当てる。これは，２個の端末が同一なＤＦＴシークエンスを使用する時に，サイクリックシフトインデックスの差が小さいほど，より多くの干渉を与えるためである。特に，サイクリックシフトインデックスの差が１である場合には，互いに相当多くの干渉を与えることがあるためである。同一なＤＦＴシークエンスインデックスｒを使用する端末は，サイクリックシフトインデックスの最小距離が２以上になるように維持する。
　表２は望ましい実施例である。
レファレンスシグナルの伝送のために各端末に割り当てられる資源は，サイクリックシフトインデックス及びＤＦＴシークエンスインデックスで示される。
　表２は，資源の総数が１２×３＝３６個であり，この中の１８個を使用することを示す。同一なサイクリックシフトインデックスを有する端末の数は１個あるいは２個であることが分かる。また，同一なＤＦＴシークエンスを使用する端末間のサイクリックシフトインデックスの距離は全て２であることが分かる。）」
（ケ）「FIG. 6 illustrates a terminal 600 selected from among a plurality of terminals that commonly use a resource including a frequency domain and a time domain, according to an embodiment of the present invention.
　　The terminal 600 includes a cyclic shift index allocating unit 610 for receiving an allocation of a cyclic shift index from a base station, and a time domain orthogonal cover index allocating unit 620 for receiving a time domain orthogonal cover index.
　　Each of the cyclic shift index allocating unit 610 and the time domain orthogonal cover index allocating unit 620 may receive an index directly from a pertaining of the base station or may implicitly allocate an index according to a rule of the base station.　
」（２３ページ１〜９行）
（［当審仮訳］：
　図６は，本発明により周波数領域及び時間領域からなる資源を共通で複数個の端末が使用する場合におけるいずれか一つの端末を示したものである。
　端末６００は，基地局からサイクリックシフトインデックスの割り当てを受けるためのサイクリックシフトインデックス割当部６１０と，時間領域直交カバーインデックスを受信するための時間領域直交カバーインデックス割当部６２０を含む。
　各々の割当部は，基地局の当該割当部からインデックスを直接受信したり，内在的（implicitly）に基地局との約束に応じてインデックスを割り当てるようになる。
（図６は省略）　）
　（エ）〜（ク）の記載及び図面並びに当業者の技術常識を考慮すると，「アップリンクＡＣＫ／ＮＡＣＫ伝送に際して，ブロック拡散のための直交カバーシーケンスとして離散フーリエ変換（ＤＦＴ）シーケンスを用いること。」は周知であると認める（以下，「周知技術１」という。）。
　同じく拒絶査定において周知技術としてあげられたQualcomm Europe，RS structure for UL ACK transmission（［当審仮訳］：アップリンクＡＣＫ送信のためのＲＳ構造），[online]，3GPP TSG-RAN WG1#49 R1-072029，インターネット＜URL:http://www.3gpp.org/ftp/tsg_ran/WG1_RL1/TSGR1_49/Docs/R1-072029.zip＞，２００７年５月２日（以下，「周知例３」という。）には，図面とともに以下の事項が記載されている。
（コ）「
」（１ページ９〜１４行）
（［当審仮訳］：
１　はじめに 
　[1] において，我々は，ＧＳＭのＴＵチャネルにおいて，低スピードでは，ＡＣＫ伝送について，リソースブロック毎に１８ユーザーを多重化することができ，そして，高スピードでは，１２ユーザーを多重化することができる３パイロット構造を提案した。
　本稿では，以下を分析する。
・ショートＣＰのための３つのパイロットシンボルの配置
・ロングＣＰのためのVehicle-BチャネルにおけるＡＣＫ伝送のためのパイロット構造）
（サ）「
」（１ページ１５行〜２ページ４行）
（［当審仮訳］：
２　ショートＣＰに対するＡＣＫチャネル構造 
２.１　異なる位置の３パイロット構造の説明 
 　（図面の記載は略） 
図１　スロットの中央に３つのパイロットシンボルを有する構造 
　図１は，スロット毎に３つのパイロットシンボルを有するフレーム構造を図示している。シンボル（２，３，４）及び（９，１０，１１）は，パイロットシンボルとして使用される。他は，データ伝送用である。各グループの中で，異なるシフト量を有するＣｈｕシーケンスがユーザーを分離するために使用される。グループ毎に６ユーザーまで適応させることができる。
パイロット信号に関して，ＤＦＴ行列の列が，グループコードとして使用される。つまり，シンボル２，３及び４が，それぞれ，グループｉ（ｉ＝１，２又は３）に対するＤＦＴ３行列の第ｉ列の１つのエントリで乗算される。
　本件の優先日前の２００７年６月２５日には公知となっていたQualcomm Europe，RS structure for UL ACK transmission（［当審仮訳］：アップリンクＡＣＫ送信のためのＲＳ構造），[online]，3GPP TSG-RAN WG1#49bis R1-072747，インターネット＜URL:http://www.3gpp.org/ftp/tsg_ran/WG1_RL1/TSGR1_49b/Docs/R1-072747.zip＞，（以下，「周知例４」という。）には，図面とともに以下の事項が記載されている。
（シ）「
」（１ページ９〜１４行）
（［当審仮訳］：
１　はじめに 
　[1] において，我々は，ＧＳＭのＴＵチャネルにおいて，低スピードでは，ＡＣＫ伝送について，リソースブロック毎に１８ユーザーを多重化することができ，そして，高スピードでは，１２ユーザーを多重化することができる３パイロット構造を提案した。
　本稿では，以下を分析する。
・ショートＣＰのための３つのパイロットシンボルの配置
・ロングＣＰのためのVehicle-BチャネルにおけるＡＣＫ伝送のためのパイロット構造）
（ス）「
」（１ページ１５行〜２ページ９行）
（［当審仮訳］：
２　ショートＣＰに対するＡＣＫチャネル構造 
２.１　異なる位置の３パイロット構造の説明 
 　（図面の記載は略） 
図１　スロットの中央に３つのパイロットシンボルを有する構造 
　図１は，スロット毎に３つのパイロットシンボルを有するフレーム構造を図示している。シンボル（２，３，４）及び（９，１０，１１）は，パイロットシンボルとして使用される。他は，データ伝送用である。各グループの中で，異なるシフト量を有するＣｈｕシーケンスがユーザーを分離するために使用される。グループ毎に６ユーザーまで適応させることができる。
パイロット信号に関して，ＤＦＴ行列の列が，グループコードとして使用される。つまり，シンボル２，３及び４が，それぞれ，グループｉ（ｉ＝１，２又は３）に対するＤＦＴ３行列の第ｉ列の１つのエントリで乗算される。
　上記（コ）〜（ス）の記載及び図面並びに当業者の技術常識を考慮すると，アップリンクＡＣＫ／ＮＡＣＫ伝送に際してブロック拡散のための直交カバーシーケンスとして用いる離散フーリエ変換シーケンスに関して，「離散フーリエ変換行列の各列は複数のグループの異なる１つに割り当てられている。」ことは周知であると認める（以下，「周知技術２」という。）。
　同じく原査定の拒絶の理由に引用された特開２００８−２３６４２７号公報（以下，「周知例５」という。）には，「ユーザ装置，基地局装置及び方法」に関し，図面とともに以下の事項が記載されている。
（セ）「【０００８】
　本発明の課題は，下りデータチャネルに対する送達確認情報（ACK/NACK）及び下りチャネル状態を示す情報（CQI）の少なくとも一方を含む上り制御チャネルがシングルキャリア方式で複数のユーザ装置から送信される場合に，特に１ビットのＡＣＫ／ＮＡＣＫ情報を送信する場合にユーザ間の多重数を増大させることができるユーザ装置，基地局装置及び方法を提供することにある。
（中略）
【００１８】
　本発明の一態様によれば，同一内容の複数個の単位ブロック各々に乗算される因子一組（ブロック拡散符号）が直交符号系列を表すように用意されてもよい。単位ブロックは直交符号系列の全チップに同じ因子（ブロック拡散符号とは別に用意された因子）が乗算された系列を含んでよい。ブロック拡散符号を用意することで，可能な符号多重総数を更に増やすことができる。これにより，ユーザ多重数の増減に起因して送信帯域が頻繁に変わることを抑制する効果が更に促される。」
（ソ）「【００２５】
　図３のブロック毎の変調パターン生成部３０６は，この１２個のブロック（LB1〜LB12）の内の１つ以上とチャネル状態情報（CQI）を表現するビットとの対応関係，１４個のブロック（LB1〜LB12，SB1及びSB2，あるいは１４個のロングブロック）の内の１つ以上と送達確認情報（ACK/NACK）を表現するビットとの対応関係を決定する。ユーザ装置は，上り制御チャネルでチャネル状態情報だけを送信する場合と，送達確認情報だけを送信する場合と，それら双方を送信する場合とがある。本実施例では，上りリンクの制御チャネルの検波法として，送達確認情報（ACK/NACK）にはノンコヒーレント検波，送達確認情報以外はコヒーレント検波が使用される。コヒーレント検波が使用される場合にはパイロットチャネルが必要であるが，ノンコヒーレント検波が使用される場合にはパイロットチャネルを必要としない。」
（タ）「【００４０】
　符号情報特定部３３０は，ユーザ装置で使用されるカザック符号系列（系列番号），カザック符号系列の巡回シフト量及び送信帯域に関する情報を含む符号情報を特定する。符号情報は，報知チャネルからの報知情報から導出されてもよいし，基地局からの個別的に通知されてもよい。個別的な通知は例えばL3制御チャネルのような上位レイヤのシグナリングでなされてもよい。符号情報特定部３３０は，複数のブロック各々に乗算される因子一組（ブロック拡散符号系列）がどの直交符号系列を表すかも特定する。」
（チ）「【００７４】
　ここで，ノンコヒーレント検波が行われる場合の送達確認情報の割り当て例について，図１１を参照して説明する。
【００７５】
　一例として，巡回シフト番号が０−５まで多重され，ブロック拡散符号の番号が０−６まで多重される場合について説明する。この場合，巡回シフト番号とブロック拡散符号の番号で１つの直交リソースを割り当てることができる。巡回シフト番号が０−２は肯定応答（ACK）に対応させ，巡回シフト番号が３−５は否定応答（NACK）に対応させる。
【００７６】
　図１１において，（１）はユーザ＃０がＡＣＫを送信する場合に巡回シフト番号０，ブロック拡散番号０のリソースを用いることを表す。（２）はユーザ＃０がＮＡＣＫを送信する場合に巡回シフト番号３，ブロック拡散番号０のリソースを用いることを表す。
【００７７】
　（３）及び（４）は，ＡＣＫ又はＮＡＣＫの電力判定をするときの基準となる雑音電力を推定するためのリソース（どのユーザも信号を送信しないリソース）を示し，全ユーザで共通に使用される。
【００７８】
　また，後述するACK/NACKの電力判定を別の基準（別の方法で雑音電力を推定するなど）を用いる場合は，（３）及び（４）は不要である。そのときは，ユーザ＃２０のACK/NACK信号が送信される。
【００７９】
　雑音電力推定部７２８は，入力されたカザック番号，巡回シフト番号及び／又はブロック拡散符号に基づいて，ACK/NACKの電力判定の基準となる雑音電力を推定し，雑音電力の推定値をACK/NACK判定部７３０に入力する。例えば，雑音電力推定部７２８は，図１１を参照して説明したノンコヒーレント検波が行われる場合の送達確認情報に割り当て例において，巡回シフト番号２，ブロック拡散符号の番号６のリソースの相関電力を測定する。
【００８０】
　ACK/NACK相関測定部７２６は，入力されたカザック番号，巡回シフト番号及び／又はブロック拡散符号に基づいて，ACK及びNACKを送信するリソースの相関電力を測定し，相関電力の測定値をACK/NACK判定部７３０に入力する。
例えば，ACK/NACK相関測定部７２６は，図１１を参照して説明したノンコヒーレント検波が行われる場合の送達確認情報の割り当て例において，巡回シフト番号０，ブロック拡散符号の番号０のリソース及び巡回シフト番号３，ブロック拡散符号の番号０のリソースの相関電力を測定する。
【００８１】
　ACK/NACK判定部７３０は，入力された雑音電力の推定値と，相関電力の測定値とを比較して，基準電力より高い方の信号が送られているものを判定する。雑音電力の推定値には，ある程度のオフセットをプラスするようにしてもよい。
例えば，図１２に示すように，推定雑音電力，ACKの相関電力及びNACKの相関電力が得られ，ACK/NACK判定閾値以上となる電力に対応する信号が送られていると判断する。図１２では，ACKが送信されたと判定される。
【００８２】
　ACK/NACK判定部７３０は，どちらも基準電力を超えている場合は，電力の大きい方の信号が送られているものと判定する。ACK/NACK判定部７３０は，どちらも基準電力を超えない場合は，どちらの信号も送られていないものとするか，あるいは，電力の大きい方の信号が送られているものと判定する。
【００８３】
　また，ユーザ装置は，肯定応答（ACK）については送信電力をＯＦＦ，否定応答（NACK）については送信電力をＯＮにするようにしてもよい。この場合，ACK/NACK判定部７３０は，無送信の場合に肯定応答(ACK)と判定することとなる。このようにすることにより，ユーザ装置は，肯定応答(ACK)を送信する場合に他セルに対する干渉を抑圧できる。」
　上記（セ）〜（チ）の記載及び図面並びに当業者の技術常識を考慮すると，
　アップリンクＡＣＫ／ＮＡＣＫ伝送において，ユーザの多重数を増大するために，図３によれば，カザック番号に基づいて生成したカザック符号を巡回シフトした後，ブロック拡散符号によりブロック拡散することが読み取れる。そして，上記（ソ）の【００７５】の記載及び図１１によれば，コヒーレント検波を行う場合に，ＡＣＫに対して巡回シフト番号０−２を対応させ，ＮＡＣＫに対して巡回シフト番号３−５を対応させているから，ＡＣＫとＮＡＣＫとでそれぞれ異なる巡回シフト量を割り当てていることは明らかである。
　したがって，「アップリンクＡＣＫ／ＮＡＣＫ伝送において，コヒーレント検波を行う場合に，ＡＣＫ，ＮＡＣＫのために複数の異なる巡回シフト量を割り当てる。」ことは公知であると認める（以下，「公知技術」という。）。
　また，上記（ケ），（タ）の記載及び図面並びに当業者の技術常識を考慮すると，「基地局から巡回シフトの割り当てを受けたり，基地局から巡回シフトの割り当てや時間領域の直交カバーシーケンスに係る情報を受信すること。」は普通に行われていることと認める（以下，「周知技術３」という。）。
ウ　対比・判断
　補正後の発明と引用発明とを対比すると，
（ア）本願明細書の【００３８】によれば，補正後の発明の「基本シーケンス」は，コンピュータにより生成されたシーケンスであって，同【００２６】によれば，共通の基本シーケンスがシフト値によりシフトされた異なるシーケンスが利用可能となるものであるから，引用発明の「コンピュータで生成したＣＡＺＡＣシーケンス」は補正後の発明の「基本シーケンス」に含まれ，引用発明の「巡回シフト値」は補正後の発明の「シフト値」に含まれる。
　また，補正後の発明の「複数のセル特有のシーケンス」は，請求項１２の記載を参酌すれば，コヒーレントな伝送モードにおける１つの４×４の直交符号の１つの列，または１つの３×３の離散フーリエ変換行列の１つの列を含むと認められ，本願明細書の図２及びその説明によれば，これらは，ＲＳ用のシンボルに対する直交符号及びデータ用のシンボルに対する直交符号である。したがって，補正後の発明の「複数のセル特有のシーケンス」と，引用発明の「少なくとも１つがセル特有である複数の直交カバーシーケンス」とは，下記の相違点２は別として，「少なくとも１つがセル特有である複数のシーケンス」である点で一致している。
　そして，補正後の発明は，基本シーケンスと複数のセル特有のシーケンスとをネットワークから受信し，シフト値をユーザー装置に割り当て，基本シーケンスとセル特有のシーケンスのうちの１つとシフト値とを備える情報をユーザー装置に送るものであるところ，引用発明は，コンピュータで生成したＣＡＺＡＣシーケンスと，少なくとも１つがセル特有である複数の直交カバーシーケンスと，巡回シフト値をどのようにして得るのか明らかにしていないが，「ユーザー装置が」これらを「得ている」点では差異は無い。
（イ）補正後の発明の「前記受信された情報に少なくとも基づいて」とは，「前記基本シーケンスと，前記セル特有のシーケンスのうちの１つと前記シフト値とを備える情報に少なくとも基づいて」ということであるところ，上記（ア）のとおりであるから，引用発明の「ユーザー装置からＡＣＫ／ＮＡＣＫを含む信号を受信することであって，前記信号が，前記コンピュータで生成したＣＡＺＡＣシーケンスと，少なくとも１つがセル特有である複数の直交カバーシーケンスと，巡回シフト値に少なくとも基づいて生成される，受信すること」は，明らかに補正後の発明の「前記ユーザー装置から信号を受信することであって，前記信号が，前記受信された情報に少なくとも基づいて生成される，受信すること」に含まれる。
　以上を総合すると，補正後の発明と引用発明とは，以下の点で一致し，また，相違している。
（一致点）
「ユーザー装置が，基本シーケンスと少なくとも１つがセル特有である複数のシーケンスとシフト値とを得ることと，および
　前記ユーザー装置から信号を受信することであって，前記信号が，前記基本シーケンスと少なくとも１つがセル特有である複数のシーケンスとシフト値に少なくとも基づいて生成される，受信することと
を備える，ワイヤレス通信のための方法。」
（相違点１）
　一致点の「ユーザー装置が，基本シーケンスと少なくとも１つがセル特有である複数のシーケンスとシフト値とを得ること」に関し，補正後の発明は，「基本シーケンスと１つまたは複数のセル特有のシーケンスとをネットワークから受信すること」，「少なくとも１つのシフト値をユーザー装置に割り当てること」，「情報を前記ユーザー装置に送ることであって，前記情報が，前記基本シーケンスと，前記セル特有のシーケンスのうちの１つと前記シフト値とを備える，送ること」を特定しているのに対し，引用発明はどのようにして得ているのか明らかにしていない点。
（相違点２）
　一致点の「少なくとも１つがセル特有である複数のシーケンス」に関し，補正後の発明は，複数のシーケンスはいずれもセル特有であり，「前記セル特有のシーケンスの少なくとも１つは離散フーリエ変換行列の列を含み，および，前記離散フーリエ変換行列の各列は複数のセルの異なる１つに割り当てられており」との構成を有するのに対し，引用発明は当該構成が明らかでない点。
（相違点３）
　補正後の発明は，「１つまたは複数のセル特有のシーケンス」，「少なくとも１つのシフト値」とされ，セル特有のシーケンスが１つの場合やシフト値が複数である場合が存在するのに対し，引用発明には当該場合がない点。
　以下，上記各相違点について検討する。
（相違点１について）
　例えば，周知技術３のとおり，基地局から巡回シフトの割り当てを受けたり，基地局から巡回シフトの割り当てや時間領域の直交カバーシーケンスに係る情報を受信することは普通に行われていることであるから，引用発明において「ユーザー装置」が「得る」ための具体的な構成として相違点１に係る補正後の発明の構成を採用することは格別困難なことではなく，容易になし得ることに過ぎない。
（相違点２について）
　周知技術１のとおり，アップリンクＡＣＫ／ＮＡＣＫ伝送に際して，ブロック拡散のための直交カバーシーケンスとして離散フーリエ変換（ＤＦＴ）シーケンスを用いることは周知である。そして，引用例には「離散フーリエ変換行列」との直接の記載はないものの，例えば周知例２に示されるＤＦＴシーケンスを示す式（上記イ［周知技術等］（ク）の「数式３」参照。）やＤＦＴ行列に関する技術常識に照らせば，引用例のＲＳシンボルに対する表２の通常ＣＰについての直交シーケンスである［＋１　＋１　＋１］，［＋１　ｅｊ２π／３　ｅｊ４π／３］，［＋１　ｅｊ４π／３　ｅｊ２π／３］は，３×３ＤＦＴ行列の列に対応していることは当業者に明らかである。
　そして，周知技術２のとおり，ＤＦＴ行列の各列を複数のグループの異なる１つに割り当てられることは周知であり，当該グループをどのようなグループとするかは特段の制限はなく，引用例には「所与のスロットで使用される直交カバーシーケンスの組は，セル固有とすることができ，」（上記イ［引用発明］（イ）参照。）との記載にも鑑みれば，セル間干渉の抑圧を考慮して，ＤＦＴ行列の各列に対応する［＋１　＋１　＋１］，［＋１　ｅｊ２π／３　ｅｊ４π／３］，［＋１　ｅｊ４π／３　ｅｊ２π／３］を，複数のセルの異なる１つに割り当てられているようにし，複数のシーケンスがいずれもセル特有であるようにすることは，当業者が容易になし得ることである。
（相違点３について）
　「または」は択一的な記載であり，また，「少なくとも１つ」は「１つ」を含むところ，セル特有のシーケンスが複数の場合やシフト値が１つである場合は引用発明との差異は無いから，相違点３には実質的な相違はない。
　更にいえば，本願明細書の図１及びその説明を参酌すれば，コヒーレントな伝送モードでは，セル特有のシーケンスがＲＳ用とＡＣＫ／ＮＡＣＫ用との複数であり，シフト値が１つであり，他方，非コヒーレントな伝送モードでは，ＲＳはないからセル特有のシーケンスはＡＣＫ／ＮＡＣＫ用の１つのみであり，代わりにシフト値がＡＣＫ用とＮＡＣＫ用との２つであるから，補正後の発明はコヒーレントな伝送モードと非コヒーレントな伝送モードとを「または」の対象として表現していると解される。しかしながら，パイロットを用いるコヒーレント伝送及びパイロットを用いない非コヒーレント伝送はそれ自体いずれも周知であり，上記イ［周知技術等］において公知技術として認定したとおり，アップリンクＡＣＫ／ＮＡＣＫ伝送において，コヒーレント検波を行う場合に，ＡＣＫ，ＮＡＣＫのために複数の異なる巡回シフト量を割り当てることは公知である。したがって，仮に「または」が択一的な選択を意味するのではなく双方を選択可能であることを意味するものだとしても，そのようにすることは格別困難なことではなく，適宜なし得ることに過ぎない。
　そして，補正後の発明の作用効果も，引用発明及び周知技術等に基づいて当業者が予測できる範囲のものである。
　以上のとおり，補正後の発明は，引用発明及び周知技術等に基づいて当業者が容易に発明をすることができたものであるから，特許法第２９条第２項の規定により特許出願の際独立して特許を受けることができないものである。
３　結語
　したがって，本件補正は，特許法第１７条の２第６項において準用する同法第１２６条第７項の規定に違反するので，同法第１５９条第１項の規定において読み替えて準用する同法第５３条第１項の規定により却下すべきものである。
第３　本願発明について
１　本願発明
　平成２６年６月１８日付けの手続補正は上記のとおり却下されたので，本
願発明は，上記「第２　補正却下の決定」の項中の「１　本願発明と補正後の発明」の項の「本願発明」のとおりのものと認める。
２　引用発明及び周知技術等
　引用発明及び周知技術等は，上記「第２　補正却下の決定」の項中の「２　補正の適否」の項中の「（２）独立特許要件」の項中の「イ　引用発明及び周知技術等」の項で認定したとおりである。
３　対比・判断
　そこで，本願発明と引用発明とを対比するに，本願発明は補正後の発明から当該補正に係る限定を省いたものである。
　そうすると，本願発明の構成に当該補正に係る限定を付加した補正後の発明が，上記「第２　補正却下の決定」の項中の「２　補正の適否」の項中の「（２）独立特許要件」の項中の「ウ　対比・判断」の項で検討したとおり，引用発明及び周知技術等に基づいて容易に発明できたものであるから，本願発明も同様の理由により，容易に発明できたものである。
４　むすび
　以上のとおり，本願発明は，引用発明及び周知技術等に基づいて当業者が容易に発明をすることができたものであるから，特許法第２９条第２項の規定により，特許を受けることができない。
　よって，結論のとおり審決する。